(57)【要約】      （修正有）【課題】基板に切欠を設けることなく、不要になった際、基板を被着面から容易に剥離できる壁掛けフックを提供する。【解決手段】壁掛けフック１は表面１０及び裏面２０を備え、表面１０は吊下部材１１を有し、裏面２０は、表面１０に対して略平行である水平面２１、及びこの水平面２１の境界Ｂから端Ｅに向けて、水平面２１から表面１０の方向に傾斜する傾斜面２２を有する。また、水平面２１を被取付面に沿って取り付けたとき、端Ｅが被取付面から離れている。水平面２１が被取付面に沿って取り付けられた壁掛けフック１の傾斜面２２と被取付面との間に剥離部材を挿入し、この剥離部材を被取付面に向かって回動させる。これによって、壁掛けフック１を被取付面から容易に剥離できる。【選択図】図１
2014221115.tif 000002
【特許請求の範囲】
【請求項１】
吊下部材を有する表面と、
前記表面に対して略平行である水平面、及びこの水平面の境界から端に向けて、前記水平面から前記表面の方向に傾斜する傾斜面を有する裏面とを備え、
前記水平面を被取付面に沿って取り付けたとき、前記端が前記被取付面から離れている壁掛けフック。
【請求項２】
前記水平面が前記被取付面に沿って取り付けられた請求項１に記載の壁掛けフックの前記傾斜面と前記被取付面との間に剥離部材を挿入する剥離部材挿入工程と、
前記剥離部材を操作して前記壁掛けフックを前記被取付面から剥離する剥離工程とを含む、壁掛けフックの剥離方法。
【請求項３】
前記剥離部材を前記傾斜面と前記被取付面との間に挿入したとき、前記剥離部材と前記被取付面との接点がてこの支点であり、前記剥離部材の前記被取付面と接する部分がてこの作用点であり、
前記剥離部材は、前記支点から前記作用点までの距離よりも前記支点からの距離が長い力点を有し、
前記剥離工程は、前記力点を操作して前記剥離部材を前記被取付面に向かって回動させて前記壁掛けフックを前記被取付面から剥離する工程である、請求項２に記載の剥離方法。
【発明の詳細な説明】
【技術分野】
【０００１】
本発明は、壁掛けフック、及びこの壁掛けフックの剥離方法に関する。
【背景技術】
【０００２】
従来より、壁掛けフックは広く一般に用いられている。壁板や家具の側壁等に例示される被取付面に、接着剤、粘着剤、充填剤等が付いた壁掛けフックを取り付けると、その後、壁掛けフックをきれいに剥がすのは容易でない。
【０００３】
不要になった際に容易に剥離できるようにするため、中央下半部が略短冊状に切欠された基板の裏面に両面粘着テープが貼着され、切欠部に略Ｊ字状の鉤片が上下方向に回動可能に取着された掛吊具が提案されている（特許文献１参照）。この掛吊具を用いると、鉤片の下端を手前に引上げることによって、鉤片上端が後方へ回動して被着面に当接するため、不要になった際、基板を被着面から容易に剥離できる。
【先行技術文献】
【特許文献】
【０００４】
【特許文献１】特開２０００−１０７０１８号公報
【発明の概要】
【発明が解決しようとする課題】
【０００５】
しかしながら、特許文献１に記載の掛吊具では、基板の中央下半部が略短冊状に切欠された形状に限られるため、基板表面のデザインのバリエーションに限界がある。そこで、基板に切欠を設けることなく、不要になった際、基板を被着面から容易に剥離できるようにすることが求められている。
【０００６】
本発明は、上記事情に鑑みてなされたものであって、その目的とするところは、基板に切欠を設けることなく、不要になった際、基板を被着面から容易に剥離できるようにすることである。
【課題を解決するための手段】
【０００７】
本発明者は、上記課題を解決するために、鋭意研究を重ねたところ、裏面に関し、表面に対して略平行である水平面、及びこの水平面の境界から端に向けて、水平面から表面の方向に傾斜する傾斜面を設け、水平面を被取付面に沿って取り付けたとき、上記端が被取付面から離れるようにすることで、上記課題を解決できることを見出し、本発明を完成するに至った。具体的に、本発明では、以下のようなものを提供する。
【０００８】
（１）本発明は、吊下部材を有する表面と、前記表面に対して略平行である水平面、及びこの水平面の境界から端に向けて、前記水平面から前記表面の方向に傾斜する傾斜面を有する裏面とを備え、前記水平面を被取付面に沿って取り付けたとき、前記端が前記被取付面から離れている壁掛けフックである。
【０００９】
（２）また、本発明は、前記水平面が前記被取付面に沿って取り付けられた（１）に記載の壁掛けフックの前記傾斜面と前記被取付面との間に剥離部材を挿入する剥離部材挿入工程と、前記剥離部材を操作して前記壁掛けフックを前記被取付面から剥離する剥離工程とを含む、壁掛けフックの剥離方法である。
【００１０】
（３）また、本発明は、前記剥離部材を前記傾斜面と前記被取付面との間に挿入したとき、前記剥離部材と前記被取付面との接点がてこの支点であり、前記剥離部材の前記被取付面と接する部分がてこの作用点であり、前記剥離部材は、前記支点から前記作用点までの距離よりも前記支点からの距離が長い力点を有し、前記剥離工程は、前記力点を操作して前記剥離部材を前記被取付面に向かって回動させて前記壁掛けフックを前記被取付面から剥離する工程である、（２）に記載の剥離方法である。
【発明の効果】
【００１１】
本発明によれば、不要になった際、壁掛けフックを被取付面から容易に剥離できる。その際、切欠を有することが必須ではないため、表面のデザインを自由自在に変更できる。
【図面の簡単な説明】
【００１２】
【図１】本発明の一実施形態に係る壁掛けフック１の斜視図の一例である。
【図２】本発明の一実施形態に係る壁掛けフック１の正面図の一例である。
【図３】本発明の一実施形態に係る壁掛けフック１の背面図の一例である。
【図４】本発明の一実施形態に係る壁掛けフック１の平面図の一例である。
【図５】本発明の一実施形態に係る壁掛けフック１の底面図の一例である。
【図６】本発明の一実施形態に係る壁掛けフック１の右側面図の一例である。
【図７】壁掛けフック１を被取付面３０に取り付けたときの一例である。
【図８】壁掛けフック１を被取付面３０から剥がすときの一例である。
【図９】本発明の変形例に係る壁掛けフック１の右側面図の一例である。
【発明を実施するための形態】
【００１３】
以下、本発明の具体的な実施形態について、詳細に説明するが、本発明は、以下の実施形態に何ら限定されるものではなく、本発明の目的の範囲内において、適宜変更を加えて実施することができる。
【００１４】
＜壁掛けフック＞
図１〜図６は、それぞれ、本発明に係る壁掛けフック１の斜視図、正面図、背面図、平面図、底面図、右側面図の一例である。壁掛けフック１は、表面１０と、裏面２０とを備える。表面１０は、吊下部材１１を有する。裏面２０は、表面１０に対して略平行である水平面２１と、この水平面２１の境界Ｂから端Ｅに向けて、水平面２１から表面１０の方向に傾斜する傾斜面２２とを有する。
【００１５】
壁掛けフック１の材質は、特に限定されるものでなく、例えば、アクリルニトリル−ブタジエン−スチレン共重合体（ＡＢＳ樹脂）等の合成樹脂、アルミニウム等の金属、合成樹脂被覆金属等が挙げられる。また、壁掛けフック１の形状も特に限定されるものでなく、例えば、長方形のほか、正方形、ひし形、円形、楕円形等が挙げられる。
【００１６】
吊下部材１１の形状についても、物品を吊り下げることができる形状であれば特に限定されるものでない。
【００１７】
傾斜面２２の水平方向（表面１０に対して平行な方向）の長さＬ２は、２ｍｍ以上８ｍｍ以下であることが好ましく、４ｍｍ以上６ｍｍ以下であることがより好ましい。Ｌ２が２ｍｍ未満であると、傾斜面２２と被取付面との間に剥離部材を挿入しようとしても、剥離部材が傾斜面２２と被取付面との間に引っかからない可能性があるため、好ましくない。また、Ｌ２が８ｍｍを超えると、傾斜面の厚みが薄くなり、強度不足による亀裂が発生することがあるため、好ましくない。
【００１８】
傾斜面２２は、この水平面２１の境界Ｂから端Ｅに向けて、水平面２１から表面１０の方向に傾斜するものであれば特に限定されるものでない。例えば、端Ｅは、壁掛けフック１の長手方向の端部であってもよいし、短手方向の端部であってもよい。また、壁掛けフック１の周囲全体にわたる端であってもよい。しかしながら、傾斜面２２と被取付面との間に剥離部材を挿入した際に、壁掛けフック１を被取付面から容易に剥がすことができるようにするため、端Ｅは、少なくとも、壁掛けフック１の長手方向の端部（すなわち、壁掛けフック１を被取付面に取り付けたときの上端又は下端）を含むものであることが好ましい。特に、デザイン性及び実用上の観点（端Ｅが上端にある場合、荷物を吊下部材１１にではなく端Ｅに吊り下げてしまう可能性があること）を踏まえると、端Ｅは、少なくとも、下端（壁掛けフック１を被取付面に取り付けたときの下端）を含むものであることが好ましい。
【００１９】
壁掛けフック１の水平面２１に対する傾斜角θについて、壁掛けフック１の厚さが広く一般に用いられるフックの厚さ（２ｍｍ程度）と同じである場合、水平面２１に対する傾斜角θは２０度以上４０度以下であることが好ましく、２０度以上３０度以下であることがより好ましく、２５度であることが特に好ましい。傾斜角θが２０度未満であると、傾斜面２２と被取付面との間に剥離部材を挿入できない可能性がある。傾斜角θが４０度を超えると、傾斜面２２と被取付面との間に剥離部材を挿入したときに、剥離部材が滑る場合がある。
【００２０】
＜壁掛けフックの取り付け＞
図７は、壁掛けフック１を被取付面３０に取り付けたときの一例である。壁掛けフック１において、水平面２１が被取付面３０に沿って取り付けられている。
【００２１】
壁掛けフック１を被取付面３０に取り付けた際、端Ｅが被取付面３０から離れている。これによって、壁掛けフック１を被取付面３０から剥がす際、傾斜面２２と被取付面との間に剥離部材を挿入できる。
【００２２】
壁掛けフック１の取り付けは次のようにして行う。まず、水平面２１に貼合手段を設ける。液状接着剤、液状粘着剤、液状充填剤等を塗布することによって貼合手段を設けてもよいし、両面テープを貼り付けることによって貼合手段を設けてもよいが、被取付面３０が凹凸又は曲面であっても壁掛けフック１を好適に取り付けできる点で、液状接着剤等を塗布することによって貼合手段を設けることが好ましい。
【００２３】
続いて、水平面２１に液状接着剤等を塗布した場合は液状接着剤等が硬化する前に、水平面２１を被取付面３０に沿って取り付ける。また、水平面２１に両面テープを貼り付けた場合は剥離シートを剥がした後に、水平面２１を被取付面３０に沿って取り付ける。このようにすることで、壁掛けフック１を被取付面３０に取り付けできる。
【００２４】
＜壁掛けフックの剥離＞
図８は、壁掛けフック１を被取付面３０から剥がすときの一例である。本発明の剥離方法は、水平面２１が被取付面３０に沿って取り付けられた壁掛けフック１の傾斜面２２と被取付面３０との間に剥離部材４０を挿入する剥離部材挿入工程Ｓ１と、剥離部材４０を操作して壁掛けフック１を被取付面３０から剥離する剥離工程Ｓ２とを含む。
【００２５】
剥離部材４０の形状は、傾斜面２２と被取付面３０との間に挿入したときの被取付面３０との接点をてこの支点とし、剥離部材４０の被取付面３０と接する部分をてこの作用点とすることができ、支点から作用点までの距離よりも支点からの距離が長い力点を有するものであれば、特に限定されるものではない。例えば、一般家庭に広く流通し、新たに準備する必要がない点で、スプーンを剥離部材４０にすることが好ましい。
【００２６】
剥離部材４０の材質も特に限定されるものではないが、剥離部材４０をてことして用いるため、使用者が力点に力を加え、剥離部材４０を被取付面３０に向かって図８の矢印方向に回動させたときに、剥離部材４０の形状が変形しない程度に硬いことが好ましい。
【００２７】
本発明によると、不要になった際、壁掛けフック１の傾斜面２２と被取付面３０との間に剥離部材４０を被取付面３０との接点がてこの支点となり、剥離部材４０の被取付面３０と接する部分がてこの作用点となるように挿入し、使用者が力点に力を加え、剥離部材４０を被取付面３０に向かって回動させるだけで、壁掛けフック１を被取付面３０から容易に剥離できる。その際、水平面２１に貼合手段を再び設けるだけで、壁掛けフック１を再利用できる。また、壁掛けフック１は、切欠を有することが必須ではないため、表面のデザインを自由自在に変更できる。
【００２８】
＜変形例＞
本実施形態によると、壁掛けフック１の表面１０と、傾斜面２２とによって尖った形状がなされているが、これに限るものではない。例えば、図９の（ａ）〜（ｄ）に示すように、傾斜面２２を、表面１０に接するまで設けないようにすることで、壁掛けフック１の先端を尖らせないようにしてもよい。また、傾斜面２２は平面に限るものでなく、図９の（ｂ）、（ｄ）に示すように、傾斜面２２を曲面にしてもよい。
【符号の説明】
【００２９】
１      壁掛けフック
１０    表面
１１    吊下部材
２０    裏面
２１    水平面
２２    傾斜面
【図１】
2014221115.tif 000003
【図２】
2014221115.tif 000004
【図３】
2014221115.tif 000005
【図４】
2014221115.tif 000006
【図５】
2014221115.tif 000007
【図６】
2014221115.tif 000008
【図７】
2014221115.tif 000009
【図８】
2014221115.tif 000010
【図９】
2014221115.tif 000011